(57)【要約】【課題】  第１の筐体に対して第２の筐体を回転移動させる際の操作性が良く、且つ第１の筐体に対する第２の筐体による衝撃を緩和することができる電子機器を提供する。【解決手段】  第１の筐体１に対して第２の筐体２を横向き状態と縦向き状態とに回転移動可能に連結する回転移動ガイド部材７と、第２の筐体２が横向き状態のときに縦向き状態にさせる方向に向けて付勢し、第２の筐体２が縦向き状態のときにほぼ横向き状態にさせる方向に向けて付勢し、且つ第２の筐体２がほぼ中間位置で斜めに傾斜した状態のときにニュートラル状態になり、付勢力が最小になる付勢部材８と、を備えている。従って、付勢部材８の付勢力によって第２の筐体２の動き出しをスムースにし、円滑に第２筐体２を回転移動させることができる。また、第２の筐体２の回転移動が停止するときに、付勢部材８の付勢力によって第２の筐体２をゆっくり回転移動させて停止させることができる。【選択図】        図４
2012039241.tif 000002
【特許請求の範囲】
【請求項１】
第１の筐体と、
第２の筐体と、
前記第１の筐体に対して前記第２の筐体を横向き状態と縦向き状態とに回転移動可能に連結する回転移動ガイド部材と、
前記第２の筐体が横向き状態のときに前記第２の筐体を縦向き状態にさせる方向に向けて付勢すると共に、前記第２の筐体が縦向き状態のときに前記第２の筐体をほぼ横向き状態にさせる方向に向けて付勢し、且つ前記第２の筐体が回転移動してほぼ中間位置で斜めに傾斜した状態のときにニュートラル状態になり、前記第２の筐体に対する付勢力が最小になる付勢部材と、
を備えていることを特徴とする電子機器。
【請求項２】
請求項１に記載された電子機器において、前記回転移動ガイド部材は、前記第２の筐体に設けられた可動プレートと、この可動プレートに設けられた第１、第２の各可動軸と、前記第１の筐体に設けられたベースプレートと、このベースプレートに設けられて前記第１、第２の可動軸をそれぞれガイドする第１、第２のガイド溝部とを備え、前記第１の可動軸が前記第１のガイド溝部に回転移動可能に取り付けられ、前記第２の可動軸が前記第２のガイド溝部に回転移動可能に取り付けられることにより、前記第２の筐体を前記第１の筐体に回転移動可能に連結することを特徴とする電子機器。
【請求項３】
請求項２に記載された電子機器において、前記第１の可動軸をガイドする前記第１のガイド溝部は、前記第２の筐体が前記第１の筐体に対して回転移動する際に、前記第２の筐体の下部に位置する部分をほぼ直線状の移動軌跡に沿って移動させるために、前記ベースプレートの横方向に沿って上側に湾曲するほぼ円弧状に形成されており、
前記第２の可動軸をガイドする前記第２のガイド溝部は、前記第２の筐体が前記第１の筐体に対して回転移動する際に、前記第１の筐体に対する前記第２の筐体の横方向の動きを規制するために、前記ベースプレートの上下方向に沿って形成されていることを特徴とする電子機器。
【請求項４】
請求項１〜請求項３のいずれかに記載された電子機器において、前記付勢部材は、前記第２の筐体に対して設けられた可動アーム部と、この可動アーム部に一端部が取り付けられ、他端部が前記第１の筐体に対して固定されたばね部材とを備えており、
前記可動アーム部は、前記第２の筐体が前記第１の筐体に対して回転移動する際に、その回転移動に伴って前記ばね部材の前記一端部の位置を変位させることにより、前記ばね部材のばね力およびそのばね力の働き方向を変化させることを特徴とする電子機器。
【請求項５】
請求項４に記載された電子機器において、前記ばね部材は、前記一端部が前記可動アーム部の先端部に取り付けられ、前記他端部が前記第１の筐体の前記ベースプレートにおける予め定められた固定位置に固定された引張コイルばねであり、
前記可動アーム部は、前記第１のガイド溝部によってガイドされる前記第１の可動軸に設けられ、前記第２の筐体が横向き状態のときに、前記ばね部材のばね力を前記第２の筐体が縦向き状態になる方向に働かせ、前記第２の筐体が回転移動してほぼ中間位置で斜めに傾斜した前記ニュートラル状態のときに、前記ばね部材のばね力を前記第２の筐体のいずれの回転方向にも働かせず、前記第２の筐体が縦向き状態のときに、前記ばね部材のばね力を前記第２の筐体がほぼ横向き状態になる方向に働かせることを特徴とする電子機器。
【請求項６】
請求項５に記載された電子機器において、前記可動アーム部の前記先端部は、前記第２の筐体が横向き状態のときに、前記第１のガイド溝部の一端部付近に位置して前記ばね部材の前記固定位置から最も離れ、前記第２の筐体が回転移動してほぼ中間位置で斜めに傾斜した前記ニュートラル状態のときに、前記第１のガイド溝部の中間付近に位置して前記固定位置に最も近づき、前記第２の筐体が縦向き状態のときに、前記第１のガイド溝部の他端部付近に位置して前記固定位置からの距離が、最も離された距離と最も近づいた距離とのほぼ中間の距離となるような移動軌跡上を移動することを特徴とする電子機器。
【請求項７】
請求項４〜請求項６のいずれかに記載された電子機器において、前記ばね部材は、前記第２の筐体が横向き状態のときに、前記ばね部材のばね力が前記第２の筐体を縦向き状態にさせる方向に向けて最も強く、前記第２の筐体が回転移動してほぼ中間位置で斜めに傾斜した前記ニュートラル状態のときに、前記ばね力が前記第２の筐体のいずれの回転方向に対しても最も弱く、前記第２の筐体が縦向き状態のときに、前記ばね力が前記第２の筐体をほぼ横向き状態にさせる方向に向けて最も強い場合と最も弱い場合とのほぼ中間の強さになることを特徴とする電子機器。
【発明の詳細な説明】
【技術分野】
【０００１】
この発明は、写真立てタイプなどのディスプレイ装置や、パーソナルコンピュータ、携帯電話機などの電子機器に関し、更に詳しくはディスプレイ画面を縦横に回転させる機構を備えた電子機器に関する。
【背景技術】
【０００２】
従来、携帯電話機などの電子機器においては、特許文献１に記載されているように、第１の筐体と、第２の筐体と、この第２の筐体を第１の筐体に対して横向き状態と縦向き状態とに回転移動可能に連結する回転移動ガイド部材と、第２の筐体が横向き状態と縦向き状態とになるように第２の筐体を付勢するねじりコイルばねとを備えた構成のものが知られている。
【先行技術文献】
【特許文献】
【０００３】
【特許文献１】特開２００８−８６０３９号公報
【０００４】
このような電子機器では、第２の筐体が第１の筐体に対して横向き状態のときに、ねじりコイルばねのばね力によって第２の筐体が横向き状態になるように付勢されており、第２の筐体が横向き状態から縦向き状態に回転移動する際に、第２の筐体が横向き状態から回転移動し始めると、ねじりコイルばねのばね力が徐々に強くなる。
【０００５】
そして、第２の筐体が回転移動して中間位置付近に到達すると、ねじりコイルばねのばね力が最も強くなり、この状態で第２の筐体が更に縦向き状態になるように回転移動すると、ねじりコイルばねのばね力が徐々に弱くなる。このため、第２の筐体は弱いばね力で縦向き状態になるように付勢されている。
【０００６】
また、この電子機器では、第２の筐体を第１の筐体に対して縦向き状態から横向き状態に回転移動させる際にも、第２の筐体が縦向き状態から回転移動し始めると、ねじりコイルばねのばね力が徐々に強くなり、第２の筐体が回転移動して中間位置付近に到達すると、ねじりコイルばねのばね力が最も強くなる。そして、第２の筐体が更に横向き状態になるように回転移動すると、ねじりコイルばねのばね力が徐々に弱くなる。このため、第２の筐体は弱いばね力で横向き状態になるように付勢されている。
【発明の概要】
【発明が解決しようとする課題】
【０００７】
しかしながら、このような従来の電子機器では、第２の筐体が第１の筐体に対して回転移動する際に、その回転移動の途中でねじりコイルばねのばね力が最も強くなるように構成されているため、第２の筐体をスムースに回転移動させることができないばかりか、第２の筐体が横向き状態と縦向き状態とになるように、ねじりコイルばねが第２の筐体を付勢しているので、第２の筐体を横向き状態から縦向き状態に回転移動させる際、および縦向き状態から横向き状態に回転移動させる際に、第２の筐体の動き出しが重くなり、スムースに第２の筐体を回転させることができないという問題がある。
【０００８】
また、このような電子機器を例えばパーソナルコンピュータに用いて第１の筐体を卓上に載置して第２の筐体を起立させた状態で使用する場合には、第２の筐体を縦向き状態から横向き状態に回転移動させる際に、第２の筐体の自重による回転モーメントと重力とによって、第２の筐体の回転が加速されて第２の筐体に加速度が生じ、この加速度とねじりコイルばねのばね力とによって、第２の筐体が勢いよく回転して横向き状態になるため、第２の筐体に衝撃が加わり、この衝撃によって第２の筐体内に組み込まれた電子部品が破損する恐れがあるという問題もある。
【０００９】
この発明が解決しようとする課題は、第１の筐体に対して第２の筐体を回転移動させる際の操作性が良く、且つ第１の筐体に対する第２の筐体による衝撃を緩和することができる電子機器を提供することである。
【課題を解決するための手段】
【００１０】
この発明は、上記課題を解決するために、次のような構成要素を備えている。
請求項１に記載の発明は、第１の筐体と、第２の筐体と、前記第１の筐体に対して前記第２の筐体を横向き状態と縦向き状態とに回転移動可能に連結する回転移動ガイド部材と、前記第２の筐体が横向き状態のときに前記第２の筐体を縦向き状態にさせる方向に向けて付勢すると共に、前記第２の筐体が縦向き状態のときに前記第２の筐体をほぼ横向き状態にさせる方向に向けて付勢し、且つ前記第２の筐体が回転移動してほぼ中間位置で斜めに傾斜した状態のときにニュートラル状態になり、前記第２の筐体に対する付勢力が最小になる付勢部材と、を備えていることを特徴とする電子機器である。
【００１１】
請求項２に記載の発明は、請求項１に記載された電子機器において、前記回転移動ガイド部材は、前記第２の筐体に設けられた可動プレートと、この可動プレートに設けられた第１、第２の各可動軸と、前記第１の筐体に設けられたベースプレートと、このベースプレートに設けられて前記第１、第２の可動軸をそれぞれガイドする第１、第２のガイド溝部とを備え、前記第１の可動軸が前記第１のガイド溝部に回転移動可能に取り付けられ、前記第２の可動軸が前記第２のガイド溝部に回転移動可能に取り付けられることにより、前記第２の筐体を前記第１の筐体に回転移動可能に連結することを特徴とする電子機器である。
【００１２】
請求項３に記載の発明は、請求項２に記載された電子機器において、前記第１の可動軸をガイドする前記第１のガイド溝部は、前記第２の筐体が前記第１の筐体に対して回転移動する際に、前記第２の筐体の下部に位置する部分をほぼ直線状の移動軌跡に沿って移動させるために、前記ベースプレートの横方向に沿って上側に湾曲するほぼ円弧状に形成されており、前記第２の可動軸をガイドする前記第２のガイド溝部は、前記第２の筐体が前記第１の筐体に対して回転移動する際に、前記第１の筐体に対する前記第２の筐体の横方向の動きを規制するために、前記ベースプレートの上下方向に沿って形成されていることを特徴とする電子機器である。
【００１３】
請求項４に記載の発明は、請求項１〜請求項３のいずれかに記載された電子機器において、前記付勢部材は、前記第２の筐体に対して設けられた可動アーム部と、この可動アーム部に一端部が取り付けられ、他端部が前記第１の筐体に対して固定されたばね部材とを備えており、前記可動アーム部は、前記第２の筐体が前記第１の筐体に対して回転移動する際に、その回転移動に伴って前記ばね部材の前記一端部の位置を変位させることにより、前記ばね部材のばね力およびそのばね力の働き方向を変化させることを特徴とする電子機器である。
【００１４】
請求項５に記載の発明は、請求項４に記載された電子機器において、前記ばね部材は、前記一端部が前記可動アーム部の先端部に取り付けられ、前記他端部が前記第１の筐体の前記ベースプレートにおける予め定められた固定位置に固定された引張コイルばねであり、前記可動アーム部は、前記第１のガイド溝部によってガイドされる前記第１の可動軸に設けられ、前記第２の筐体が横向き状態のときに、前記ばね部材のばね力を前記第２の筐体が縦向き状態になる方向に働かせ、前記第２の筐体が回転移動してほぼ中間位置で斜めに傾斜した前記ニュートラル状態のときに、前記ばね部材のばね力を前記第２の筐体のいずれの回転方向にも働かせず、前記第２の筐体が縦向き状態のときに、前記ばね部材のばね力を前記第２の筐体がほぼ横向き状態になる方向に働かせることを特徴とする電子機器である。
【００１５】
請求項６に記載の発明は、請求項５に記載された電子機器において、前記可動アーム部の前記先端部は、前記第２の筐体が横向き状態のときに、前記第１のガイド溝部の一端部付近に位置して前記ばね部材の前記固定位置から最も離れ、前記第２の筐体が回転移動してほぼ中間位置で斜めに傾斜した前記ニュートラル状態のときに、前記第１のガイド溝部の中間付近に位置して前記固定位置に最も近づき、前記第２の筐体が縦向き状態のときに、前記第１のガイド溝部の他端部付近に位置して前記固定位置からの距離が、最も離された距離と最も近づいた距離とのほぼ中間の距離となるような移動軌跡上を移動することを特徴とする電子機器である。
【００１６】
請求項７に記載の発明は、請求項４〜請求項６のいずれかに記載された電子機器において、前記ばね部材は、前記第２の筐体が横向き状態のときに、前記ばね部材のばね力が前記第２の筐体を縦向き状態にさせる方向に向けて最も強く、前記第２の筐体が回転移動してほぼ中間位置で斜めに傾斜した前記ニュートラル状態のときに、前記ばね力が前記第２の筐体のいずれの回転方向に対しても最も弱く、前記第２の筐体が縦向き状態のときに、前記ばね力が前記第２の筐体をほぼ横向き状態にさせる方向に向けて最も強い場合と最も弱い場合とのほぼ中間の強さになることを特徴とする電子機器である。
【発明の効果】
【００１７】
この発明によれば、第２の筐体を第１の筐体に対して回転移動させる際に、付勢部材の付勢力によって第２の筐体の動き出しをスムースに行うことができると共に、第２の筐体が動き出すと、付勢部材の付勢力が徐々に弱くなるので、円滑に第２の筐体を回転移動させることができる。また、第２の筐体の回転移動が停止するときには、付勢部材の付勢力によって第２の筐体をゆっくり回転移動させて停止させることができる。
【００１８】
このため、第１の筐体に対して第２の筐体を回転移動させる際の操作性が良く、且つ第２の筐体の回転移動に伴う第１の筐体に対する第２の筐体による衝撃を緩和することができ、これにより使い勝手が良く、第２の筐体に組み込まれた電子部品が衝撃によって破損するのを防ぐことができる。
【図面の簡単な説明】
【００１９】
【図１】この発明を適用した電子機器の一実施形態を示した正面図である。
【図２】図１に示された電子機器の一部を破断して示した側面図である。
【図３】図１に示された電子機器の第２の筐体が横向き状態において、その電子機器を裏面側から見た分解斜視図である。
【図４】図３に示された電子機器における要部を裏面側から透かして見たときの要部の位置関係を示した図である。
【図５】図１に示された電子機器において第２の筐体が縦向き状態のときの正面図である。
【図６】図５に示された電子機器の第２の筐体が縦向き状態において、その電子機器を裏面側から見た分解斜視図である。
【図７】図６に示された電子機器における要部を裏面側から透かして見たときの要部の位置関係を示した図である。
【図８】図４に示された電子機器の第２の筐体が横向き状態から回転移動して少し斜めに傾いた状態において、その要部を裏面側から透かして見たときの要部の位置関係を示した図である。
【図９】図８に示された電子機器の第２の筐体が更に回転移動してほぼ中間位置で斜めに傾いたニュートラル状態において、その要部を裏面側から透かして見たときの要部の位置関係を示した図である。
【図１０】図９に示された電子機器の第２の筐体が更に回転移動して縦向き状態に近づいた状態において、その要部を裏面側から透かして見たときの要部の位置関係を示した図である。
【発明を実施するための形態】
【００２０】
以下、図１〜図１０を参照して、この発明を適用した電子機器の一実施形態について説明する。
この電子機器は、図１および図２に示すように、第１の筐体１と第２の筐体２とを備えた写真立てタイプのディスプレイ装置である。第１の筐体１は、卓上などの載置面上に載置される台座部３と、この台座部３上に起立して設けられた支持ケース部４とを備えている。また、第２の筐体２は、長方形状のケース部５と、このケース部５に組み込まれて前面側（図２では左側）に露呈する入力表示部６とを備えている。
【００２１】
入力表示部６は、図示しないが、画像などの情報を表示すると共に、この表示された情報を見ながらタッチ操作するものであり、透明なタッチパネルと表示パネルとを積層した構成になっている。表示パネルは、液晶表示パネルやＥＬ（エレクトロルミネッセンス）表示パネルなどの平面型の表示パネルからなり、各種の情報を電気光学的に表示するように構成されている。透明なタッチパネルは、表示パネルの表面に設けられて表示パネルに表示された情報を見ながらタッチ操作することにより、表示パネルに表示される画像の選択や、その画像の拡大縮小などの画像処理をするように構成されている。
【００２２】
ところで、この電子機器は、図１および図２に示すように、第１の筐体１の支持ケース部４に対して第２の筐体２のケース部５を起立させた状態で、横向き状態と縦向き状態とに回転移動可能に連結する回転移動ガイド部材７と、第２の筐体２にその回転方向に付勢力を付与する付勢部材８とを備えている。この場合、第２の筐体２の横向き状態とは、入力表示部６が横方向に長い状態で情報を横向きに表示する状態のことであり、また第２の筐体２の縦向き状態とは、入力表示部６が縦方向に長い状態で情報を縦向きに表示する状態のことである。
【００２３】
回転移動ガイド部材７は、図３および図４に示すように、第２の筐体２のケース部５に設けられた可動プレート１０と、この可動プレート１０に設けられた第１、第２の各可動軸１１、１２と、第１の筐体１の支持ケース部４に設けられたベースプレート１３と、このベースプレート１３に設けられて第１、第２の可動軸１１、１２をそれぞれスライド可能で且つ回転可能にガイドする第１、第２のガイド溝部１４、１５とを備えている。
【００２４】
この場合、第１の可動軸１１の外周面には、第１のガイド溝部１４の縁部を摺動可能に挟む挟持溝（図示せず）が設けられており、第２の可動軸１２の外周面にも、第２のガイド溝部１５の縁部を摺動可能に挟む挟持溝（図示せず）が設けられている。これにより、この回転移動ガイド部材７は、第１の可動軸１１が第１のガイド溝部１４に回転移動可能に取り付けられ、第２の可動軸１２が第２のガイド溝部１５に回転移動可能に取り付けられていることにより、第２の筐体２を第１の筐体１に対して回転移動可能に連結するように構成されている。
【００２５】
この場合、可動プレート１０は、ステンレスなどの金属板からなり、図２および図３に示すように、第２の筐体２におけるケース部５の裏面（図３では右側面）のほぼ中央部に埋め込まれた状態で取り付けられている。第１の可動軸１１は、図３および図４に示すように、第２の筐体２が横向き状態のときに、可動プレート１０の右下部に位置する箇所に起立して設けられている。第２の可動軸１２は、第２の筐体２が横向き状態のときに、可動プレート１０における第１の可動軸１１の左斜め上側に位置する箇所に起立して設けられている。
【００２６】
また、ベースプレート１３は、ステンレスなどの金属板からなり、図２および図３に示すように、第２の筐体２の裏面（図２では右側面）に対面する第１の筐体１の支持ケース部４における前面（図２では左側面）のほぼ中央部に埋め込まれた状態で取り付けられている。第１のガイド溝部１４は、図３および図４に示すように、第２の筐体２の回転移動に伴って第１の可動軸１１をガイドするものであり、ベースプレート１３の下部にその横方向（図４では左右方向）に沿って上側に向けて凸となるように湾曲するほぼ円弧状に形成されている。
【００２７】
この場合、第１のガイド溝部１４は、図３および図４に示すように、第２の筐体２が横向き状態のときに、第１の可動軸１１が第１のガイド溝部１４の右端部１４ａに位置し、図５〜図７に示すように、第２の筐体２が縦向き状態のときに、第１の可動軸１１が第１のガイド溝部１４の左端部１４ｂに位置するように形成されている。このため、この第１のガイド溝部１４は、図１に実線で示すように、第２の筐体２が横向き状態のときの下辺部と、図１に２点鎖線で示すように、第２の筐体２が縦向き状態のときの下辺部とが、ほぼ同じ位置になるように、第１のガイド溝部１４の右端部１４ａがその左端部１４ｂよりも少し低い位置に形成されている。
【００２８】
また、この第１のガイド溝部１４は、図４および図７に示すように、第２の筐体２が横向き状態から縦向き状態になるように回転移動する際に、図８および図９に示すように、第１の可動軸１１が第１のガイド溝部１４の右端部１４ａから徐々に左上側に向けて移動するように構成されている。また、この第１のガイド溝部１４は、図９に示すように、第２の筐体２がほぼ６０度回転してほぼ中間位置で斜めに傾いた状態のときに、ニュートラル状態となり、第１の可動軸１１が第１のガイド溝部１４のほぼ中間位置の最も高い位置に移動するように構成されている。
【００２９】
さらに、この第１のガイド溝部１４は、図９に示すように、第２の筐体２がほぼ６０度回転してほぼ中間位置で斜めに傾いたニュートラル状態から縦向き状態になる方向に向けて回転移動する際に、図１０に示すように、第１の可動軸１１が第１のガイド溝部１４に沿って徐々に左下側に向けて移動するように構成されている。また、この第１のガイド溝部１４は、図７に示すように、第２の筐体２が横向き状態から９０度回転して縦向き状態になったときに、第１の可動軸１１が第１のガイド溝部１４の左端部１４ｂに移動するように構成されている。
【００３０】
これにより、第１のガイド溝部１４は、図１および図５に示すように、第２の筐体２が横向き状態から縦向き状態に回転移動する際、または第２の筐体２が縦向き状態から横向き状態に回転移動する際に、第２の筐体２の下部に位置する箇所が、上下方向にほとんど変動せずに、ほぼ直線的な筐体移動軌跡Ｋ上を移動するように構成されている。すなわち、この筐体移動軌跡Ｋは、図１および図５に示すように、その中間部分が少し下がるような極めて緩やかに湾曲するほぼ直線に近い状態、つまり曲率半径が極めて大きい円弧を描くように構成されている。
【００３１】
一方、第２のガイド溝部１５は、図３および図４に示すように、第２の筐体２の回転移動に伴って第２の可動軸１２をガイドするものであり、ベースプレート１３における第１のガイド溝部１４の上側に位置する箇所に、その下部から上部に向けて少し傾斜するほぼ直線状に形成されている。すなわち、この第２のガイド溝部１５は、図４に示すように、第１のガイド溝部１４のほぼ中間部における接線と直交する法線に沿って上下方向に少し傾いた状態で形成されている。
【００３２】
この第２のガイド溝部１５は、第２の筐体２が横向き状態のときに、図３および図４に示すように、第２の可動軸１２が下端部１５ａに位置し、第２の筐体２が縦向き状態のときに、図６および図７に示すように、第２の可動軸１２が下端部１５ａから少し上側に位置し、第２の筐体２がほぼ６０度回転してほぼ中間位置で斜めに傾いたニュートラル状態のときに、図９に示すように、第２の可動軸１２が第２のガイド溝部１５における上端部１５ｂに最も接近するように形成されている。
【００３３】
すなわち、この第２のガイド溝部１５は、第２の筐体２が横向き状態から縦向き状態になるように回転移動する際に、図４および図８に示すように、第２の可動軸１２が第２のガイド溝部１５の下端部１５ａから徐々に上側に向けて移動し、図９に示すように、第２の筐体２がほぼ６０度回転してほぼ中間位置で斜めに傾いたニュートラル状態のときに、第２の可動軸１２が第２のガイド溝部１５における上端部１５ｂに最も接近するように形成されている。
【００３４】
また、この第２のガイド溝部１５は、第２の筐体２がほぼ６０度回転してほぼ中間位置で斜めに傾いたニュートラル状態から更に回転して縦向き状態になるときに、図９および図１０に示すように、第２の可動軸１２が第２のガイド溝部１５の上端部１５ｂから徐々に下側に移動し、第２の筐体２が縦向き状態になったときに、図７に示すように、第２の可動軸１２が第２のガイド溝部１５の下端部１５ａに接近するように形成されている。
【００３５】
これにより、この第２のガイド溝部１５は、図１に示すように、第２の筐体２が横向き状態から縦向き状態に回転移動する際、または第２の筐体２が縦向き状態から横向き状態に回転移動する際に、第２の筐体２における横方向（図１では左右方向）の動きを規制することにより、第２の筐体２の横振れを防ぎながら第２の筐体２の回転移動をガイドするように構成されている。
【００３６】
ところで、第２の筐体２に付勢力を付与する付勢部材８は、図４に示すように、第２の筐体２が横向き状態のときに第２の筐体２を縦向き状態にさせる方向に向けて付勢すると共に、図７に示すように、第２の筐体２が縦向き状態のときに第２の筐体２をほぼ横向き状態にさせる方向に向けて付勢し、且つ図９に示すように、第２の筐体２が回転移動してほぼ６０度回転してほぼ中間位置で斜めに傾いたニュートラル状態のときに第２の筐体２に対する付勢力が最小になるように構成されている。
【００３７】
この付勢部材８は、図３および図４に示すように、第２の筐体２の第１の可動軸１１に設けられた可動アーム部１６と、この可動アーム部１６に一端部１７ａが取り付けられ、他端部１７ｂが第１の筐体１のベースプレート１３に固定されたばね部材１７とを備えている。可動アーム部１６は、図４、および図７〜図１０に示すように、第２の筐体２が第１の筐体１に対して回転移動する際に、その回転移動に伴ってばね部材１７の一端部１７ａの位置を変位させることにより、ばね部材１７のばね力およびそのばね力の働き方向（付勢方向）を変化させるように構成されている。
【００３８】
すなわち、この可動アーム部１６は、図４に示すように、第２の筐体２が横向き状態のときに、第２の筐体２における第１の可動軸１１から第１のガイド溝部１４における右端部１４ａの斜め下側（図４では左斜め下側）に向けて延出された状態で、第１の可動軸１１上に取り付けられている。
【００３９】
これにより、可動アーム部１６は、図４に示すように、第２の筐体２が横向き状態のときに、その先端部１６ａが第１のガイド溝部１４の右端部１４ａの下側に位置することにより、先端部１６ａがばね部材１７の他端部１７ｂの固定点である固定位置Ｐから最も離れると共に、ばね部材１７のばね力を第２の筐体２が縦向き状態になる方向に向けて働かせる（付勢させる）ように構成されている。
【００４０】
また、この可動アーム部１６は、図４および図７に示すように、第２の筐体２が横向き状態から縦向き状態に向けて回転移動するときに、図８に示すように、その先端部１６ａが左上側に向けて移動することにより、先端部１６ａがばね部材１７の他端部１７ｂの固定位置Ｐに徐々に近づくように移動して、ばね部材１７のばね力を徐々に弱めるように構成されている。
【００４１】
この場合、可動アーム部１６は、図９に示すように、第２の筐体２が横向き状態からほぼ６０度回転してほぼ中間位置で斜めに傾いたニュートラル状態のときに、その先端部１６ａがばね部材１７の他端部１７ｂの固定位置Ｐの下側に最も接近して、ばね部材１７のばね力を最も弱くすると共に、そのばね力を第２の筐体２のいずれの回転方向にも働かせない（付勢させない）ように構成されている。
【００４２】
すなわち、この可動アーム部１６は、図９に示すように、その先端部１６ａがばね部材１７の他端部１７ｂの固定位置Ｐに最も接近したときに、固定位置Ｐの真下に位置し、ばね部材１７のばね力を垂直方向に働かせることにより、第２の筐体２が回転する方向にばね力を働かせない（付勢させない）ように構成されている。
【００４３】
このため、この可動アーム部１６は、図９に示すように、第２の筐体２がほぼ６０度回転してほぼ中間位置で斜めに傾いたニュートラル状態から縦向き状態に向けて回転移動すると、図１０に示すように、その先端部１６ａが、ばね部材１７の他端部１７ｂの固定位置Ｐにおける下側を左側に向けて通過し、固定位置Ｐの左下側に移動するため、ばね部材１７のばね力の働き方向（付勢方向）が切り替わるように構成されている。
【００４４】
すなわち、この可動アーム部１６は、図１０に示すように、その先端部１６ａがばね部材１７の他端部１７ｂの固定位置Ｐの下側を通過した際、つまり第１の可動軸１１がニュートラル状態を通過した際に、ばね部材１７のばね力の働き方向（付勢方向）が逆転し、ばね部材１７のばね力が第２の筐体２を横向き状態にさせる方向に働く（付勢する）ように構成されている。
【００４５】
これにより、この可動アーム部１６は、図９に示すように、第２の筐体２がほぼ６０度回転してほぼ中間位置で斜めに傾いたニュートラル状態から縦向き状態に向けて回転移動するときに、図１０に示すように、可動アーム部１６の先端部１６ａが第１のガイド溝部１４の左端部１４ｂの上側に向けて移動することにより、先端部１６ａがばね部材１７の他端部１７ｂの固定位置Ｐから徐々に離れ、ばね部材１７のばね力を徐々に強くするように構成されている。これにより、可動アーム部１６は、第２の筐体２がばね部材１７のばね力に抗して縦向き状態になる方向に向けて回転移動するように構成されている。
【００４６】
また、この可動アーム部１６は、図７に示すように、第２の筐体２が縦向き状態になったときに、第１の可動軸１１が第１のガイド溝部１４の左端部１４ｂに位置することにより、可動アーム部１６の先端部１６ａが第１のガイド溝部１４における左端部１４ｂの左上に位置して、ばね部材１７の他端部１７ｂの固定位置Ｐから所定距離、つまり最も離れた距離と最も接近した距離とのほぼ中間程度の距離になり、ばね部材１７のばね力を第２の筐体２がほぼ横向き状態になる方向に働かせる（付勢する）ように構成されている。
【００４７】
この場合、ばね部材１７の他端部１７ｂの固定位置Ｐは、図７において第２のガイド溝部１５の下端部１５ａの左側近傍に設置されていることが望ましい。この場合には、第２の筐体２が縦向き状態になったときに、固定位置Ｐと可動アーム部１６の先端部１６ａとが、ほぼ同じ高さなり、ばね部材１７のばね力が第２の筐体２に対してほぼ水平方向に働く（付勢する）。このため、可動アーム部１６は、ばね部材１７のばね力を徐々に強くしても、第２の筐体２が縦向き状態になったときに、そのばね力を第２の筐体２が横向き状態になる方向に向けてほとんど働かせない（付勢させない）状態にする構成であることが望ましい。
【００４８】
このように、この可動アーム部１６は、第２の筐体２が横向き状態のときに、可動アーム部１６の先端部１６ａが第１のガイド溝部１４の右端部１４ａの下側に位置して、ばね部材１７の他端部１７ｂの固定位置Ｐから最も離れ、第２の筐体２が回転移動してほぼ中間位置で斜めに傾いたニュートラル状態のときに、可動アーム部１６の先端部１６ａが第１のガイド溝部１４のほぼ中間に位置して、固定位置Ｐに最も近づき、第２の筐体２が縦向き状態のときに、可動アーム部１６の先端部１６ａが第１のガイド溝部１４の左端部１４ｂの上側に位置して、固定位置Ｐに対する距離が最も離された距離と最も近づいた距離とのほぼ中間の距離になるような、アーム移動軌跡Ｑ上を移動するように構成されている。
【００４９】
また、この可動アーム部１６は、第２の筐体２が横向き状態のときに、ばね部材１７のばね力を第２の筐体２が縦向き状態になる方向に向けて働かせ（付勢させ）、第２の筐体２が回転移動してほぼ中間位置で斜めに傾いたニュートラル状態のときに、ばね部材１７のばね力を第２の筐体２のいずれの回転方向にも働かせず（付勢させず）、このニュートラル状態を第１の可動軸１１が通過したときに、ばね部材１７のばね力の働き方向（付勢方向）を逆転させて、ばね部材１７のばね力を第２の筐体２がほぼ横向き状態になる方向に働かせる（付勢させる）ように構成されている。
【００５０】
一方、ばね部材１７は、図３および図４に示すように、引張コイルばねであり、その長さが最も長く伸びたときに、引張方向のばね力が最も強くなり、逆にその長さが最も短く縮んだときに、引張方向のばね力が最も弱くなるように構成されている。すなわち、このばね部材１７は、図４に示すように、第２の筐体２が横向き状態のときに、最も長く伸びて、第２の筐体２を縦向き状態にさせる方向に向けて、ばね力が最も強くなるように構成されている。
【００５１】
また、このばね部材１７は、図４に示すように、第２の筐体２が横向き状態から縦向き状態に回転移動するときに、図８に示すように、その長さが徐々に短くなり、第２の筐体２を縦向き状態にさせる方向のばね力が徐々に弱くなり、図９に示すように、第２の筐体２が横向き状態からほぼ６０度回転してほぼ中間位置で斜めに傾いたニュートラル状態のときに、その長さが最も短くなり、ばね力が最も弱くなって、第２の筐体２のいずれの回転方向にも働かず（付勢せず）に、第２の筐体２を回転可能な自由状態にするように構成されている。
【００５２】
さらに、このばね部材１７は、図９に示すように、第２の筐体２がほぼ６０度回転してほぼ中間位置で斜めに傾いたニュートラル状態から縦向き状態に向けて回転移動するときに、図１０に示すように、ばね力の働き方向（付勢方向）が逆転すると共に、その長さが徐々に長くなり、第２の筐体２を横向き状態にさせる方向に向けて、ばね力が徐々に強くなるように構成されている。
【００５３】
また、このばね部材１７は、図７に示すように、第２の筐体２が横向き状態から９０度回転して縦向き状態になったときに、その長さが最も長い場合と最も短い場合とのほぼ中間程度の長さになり、第２の筐体２をほぼ横向き状態にさせる方向に向けて、ばね力が最も強い場合と最も弱い場合とのほぼ中間程度の強さになるように構成されている。
【００５４】
すなわち、このばね部材１７は、第２の筐体２が縦向き状態になったときに、固定位置Ｐと可動アーム部１６の先端部１６ａとがほぼ同じ高さになり、第２の筐体２に対してほぼ水平方向に沿って伸びるため、ばね部材１７のばね力が徐々に強くなっても、そのばね力が第２の筐体２を横向き状態にさせる方向に向けてほとんど働かない（付勢しない）ように構成されている。
【００５５】
次に、この電子機器の作用について説明する。
この電子機器において第２の筐体２が第１の筐体１に対して横向き状態のときには、図３および図４に示すように、第１の筐体１と第２の筐体２とを連結する回転移動ガイド部材７における第２の筐体２に設けられた可動プレート１０の第１の可動軸１１が、第１の筐体１に設けられたベースプレート１３の第１のガイド溝部１４における右端部１４ａに位置している。また、可動プレート１０の第２の可動軸１２は、ベースプレート１３の第２のガイド溝部１５の下端部１５ａに位置している。
【００５６】
この状態では、付勢部材８の可動アーム部１６の先端部１６ａが、第１のガイド溝部１４における右端部１４ａの斜め下側に向けて延出され、この可動アーム部１６の先端部１６ａが、ベースプレート１３におけるばね部材１７の他端部１７ｂの固定位置Ｐから第１のガイド溝部１４の右端部１４ａ側に最も離れている。このため、ばね部材１７は、図４に示すように、最も伸びて、ばね力が第２の筐体２を縦向き状態にさせる方向に向けて最も強く働く。これにより、第２の筐体２は、ばね部材１７の最も強いばね力によって縦向き状態になる方向に付勢されている。
【００５７】
この状態で、第２の筐体２を横向き状態から縦向き状態にする方向に向けて回転移動させる際には、ばね部材１７の最も強いばね力によって第２の筐体２を軽い力で回転移動させることができる。すなわち、第２の筐体２が横向き状態のときには、第２の筐体２の重心位置Ｇが最も低く、第２の筐体２の重量による回転モーメントも大きいので、第２の筐体２を横向き状態から縦向き状態にする方向に回転移動させる際に、第２の筐体２を回転移動させるための負荷が大きくなる。
【００５８】
しかし、このときには、第２の筐体２を縦向き状態にさせる方向に付勢されたばね部材１７の最も強いばね力によって、第２の筐体２を軽い力で回転移動させることができる。このため、第２の筐体２の重量が重く、第１の筐体１の重量が軽くても、第２の筐体２を横向き状態から縦向き状態にする方向に回転移動させる際に、第１の筐体１が第２の筐体２の回転移動に伴って浮き上がることがないので、第１の筐体１を手で押さえる必要がなく、良好に第２の筐体２を回転させることができる。
【００５９】
そして、第２の筐体２が横向き状態から縦向き状態になる方向に回転移動を開始すると、図４および図８に示すように、可動プレート１０の第１の可動軸１１がベースプレート１３の第１のガイド溝部１４に沿って移動すると共に、可動プレート１０の第２の可動軸１２がベースプレート１３の第２のガイド溝部１５に沿って移動する。このときには、第１の可動軸１１が第１のガイド溝部１４の右端部１４ａから左上側に向けて徐々に回転しながら移動すると共に、第２の可動軸１２が第２のガイド溝部１５の下端部１５ａから上方に向けて回転しながら移動する。
【００６０】
このため、第２の筐体２は、第１の筐体１に対して図８において時計回りに回転する。このときには、図８に示すように、第１の可動軸１１が第１のガイド溝部１４に沿って左上側に向けて徐々に回転移動するので、第２の筐体２の下部に位置する部分が上下方向にほとんど変動することなく、図１に示すほぼ直線状の筐体移動軌跡Ｋ上を移動する。
【００６１】
また、このように第２の筐体２が回転移動する際には、図４および図８に示すように、第１の可動軸１１の回転移動に伴って付勢部材８の可動アーム部１６が回転しながら移動する。このときには、可動アーム部１６の先端部１６ａが第２の筐体２の回転移動に伴ってベースプレート１３におけるばね部材１７の他端部１７ｂの固定位置Ｐに向けて徐々に近づくように、アーム移動軌跡Ｑ上を移動する。このため、図８に示すように、ばね部材１７は、その長さが徐々に短くなり、これに伴って第２の筐体２を縦向き状態にさせる方向のばね力が徐々に弱くなる。
【００６２】
そして、第２の筐体２がほぼ６０度回転してほぼ中間位置で斜めに傾いた状態に回転移動すると、図９に示すように、ニュートラル状態になり、第１の可動軸１１が第１のガイド溝部１４のほぼ中間に位置する最も高い位置に回転移動すると共に、第２の可動軸１２が第２のガイド溝部１５の上端部１５ｂに向けて移動して最も接近する。このため、第２の筐体２は、第１の筐体１に対して図９に２点鎖線で示すように傾いた状態になる。
【００６３】
このときには、第１の可動軸１１が第１のガイド溝部１４の最も高い位置に回転移動するので、第２の筐体２の重心位置Ｇが最も高くなると共に、第２の筐体２の下部に位置する部分が最も下側に位置するが、その下側の部分は上下方向にほとんど変動することなく、図１に示すほぼ直線状の筐体移動軌跡Ｋ上を移動する。
【００６４】
また、このように第２の筐体２がほぼ６０度回転してほぼ中間位置で斜めに傾いたニュートラル状態に回転移動した際には、図９に示すように、第１の可動軸１１の回転移動に伴って付勢部材８の可動アーム部１６が回転しながら移動する。このときには、可動アーム部１６の先端部１６ａが第２の筐体２の回転移動に伴ってばね部材１７の他端部１７ｂの固定位置Ｐに対してその下側に最も近づくように、アーム移動軌跡Ｑ上を移動する。
【００６５】
このため、ばね部材１７は、その長さが最も短くなり、これに伴ってばね力が最も弱くなる。これにより、ニュートラル状態のときには、ばね部材１７のばね力が第２の筐体２のいずれの回転方向にも働かない（付勢しない）。この状態で、第２の筐体２が回転移動してニュートラル状態を通過する際には、可動アーム部１６の先端部１６ａがばね部材１７の他端部１７ｂの固定位置Ｐに対してその下側を右側から左側に通過するので、ばね部材１７のばね力の働き方向（付勢方向）が逆転し、ばね部材１７のばね力が第２の筐体２を縦向き状態にさせる方向から横向き状態にさせる方向に切り替わる。
【００６６】
この後、第２の筐体２が更に回転移動してニュートラル状態を通過した際には、図９および図１０に示すように、第１の可動軸１１が第１のガイド溝部１４に沿って左下側に向けて徐々に回転しながら移動すると共に、第２の可動軸１２が第２のガイド溝部１５の上端部１５ｂから下方に向けて移動する。このため、第２の筐体２は、第１の筐体１に対して図１０において時計回りに回転して縦向き状態に近づく。
【００６７】
このときには、第１の可動軸１１が第１のガイド溝部１４に沿って左下側に向けて徐々に回転移動するので、第２の筐体２の重心位置Ｇが最も高い位置から少し下がると共に、第２の筐体２の下部に位置する部分が、上下方向にほとんど変動することなく、図１および図５に示すほぼ直線状の筐体移動軌跡Ｋ上を移動する。
【００６８】
また、このように第２の筐体２が回転移動する際には、図１０に示すように、第１の可動軸１１の回転移動に伴って付勢部材８の可動アーム部１６が回転移動する。このときには、可動アーム部１６の先端部１６ａが、第１のガイド溝部１４の左端部１４ｂの上側に向けて移動するので、先端部１６ａが第２の筐体２の回転移動に伴ってばね部材１７の他端部１７ｂの固定位置Ｐから徐々に離れるように、アーム移動軌跡Ｑ上を移動する。
【００６９】
このため、ばね部材１７は、図１０に示すように、その長さが徐々に長くなり、これに伴って第２の筐体２を横向き状態にさせる方向のばね力が徐々に強くなる。これにより、第２の筐体２がゆっくり回転移動する。このときには、第２の筐体２の重心位置Ｇが最も高い位置から僅かに下側に移動する。そして、第２の筐体２が縦向き状態になると、図７に示すように、第１の可動軸１１が第１のガイド溝部１４の左端部１４ｂに移動すると共に、第２の可動軸１２が第２のガイド溝部１５の下端部１５ａに接近する位置に移動する。
【００７０】
これにより、第２の筐体２は、第１の筐体１に対して図７において時計回りに回転して縦向き状態になる。このときには、第１の可動軸１１が第１のガイド溝部１４の左端部１４ｂに位置するので、第２の筐体２の下辺部が横向き状態のときの第２筐体２の下辺部と同じ位置になる。このように第２の筐体２が縦向き状態になると、図７に示すように、第１の可動軸１１の回転移動に伴って付勢部材８の可動アーム部１６が回転移動し、この可動アーム部１６の先端部１６ａが、アーム移動軌跡Ｑ上を移動して、ばね部材１７の他端部１７ｂの固定位置Ｐから第１のガイド溝部１４の左端部１４ｂから上側に位置する箇所に移動する。
【００７１】
このときには、可動アーム部１６の先端部１６ａからばね部材１７の他端部１７ｂの固定位置Ｐまでの距離が、図７に示すように、第２の筐体２の横向き状態における最も長い場合の距離と、ほぼ中間位置に回転移動して斜めに傾いたニュートラル状態における最も短い場合の距離とのほぼ中間程度の距離になる。このため、ばね部材１７は、図７に示すように、その長さが中間程度の長さになり、これに伴って第２の筐体２を横向き状態にさせる方向のばね力が中間程度の強さなる。
【００７２】
この場合には、可動アーム部１６の先端部１６ａが、ばね部材１７の他端部１７ｂの固定位置Ｐとほぼ同じ高さに位置するように設定されていれば、ばね部材１７がほぼ水平方向に向けて伸びることになり、そのばね力が第２の筐体２を回転させる方向に働かない（付勢しない）。このため、ばね部材１７のばね力が中間程度の強さであっても、第２の筐体２がばね部材１７のばね力によって勝手に回転することがない。これにより、縦向き状態の第２の筐体２に誤って触れても、簡単に第２の筐体２が回転しないようにすることができる。
【００７３】
この状態で、第２の筐体２を縦向き状態から横向き状態になるように回転移動させる際には、ばね部材１７の中間程度の強さのばね力によって第２の筐体２がほぼ横向き状態になる方向に付勢されていることにより、第２の筐体２が横向き状態のときと同様、第２の筐体２を軽い力で回転移動させることができる。そして、第２の筐体２が縦向き状態から横向き状態になるように回転移動を開始すると、可動プレート１０の第１の可動軸１１が、ベースプレート１３の第１のガイド溝部１４に沿って移動すると共に、可動プレート１０の第２の可動軸１２が、ベースプレート１３の第２のガイド溝部１５に沿って移動する。
【００７４】
このときには、図７および図１０に示すように、第１の可動軸１１が第１のガイド溝部１４の左端部１４ｂから右上側に向けて徐々に回転しながら移動すると共に、第２の可動軸１２が第２のガイド溝部１５の下端部１５ａから上方に向けて移動する。このため、第２の筐体２は、第１の筐体１に対して図１０において反時計回りに回転する。このときにも、第１の可動軸１１が第１のガイド溝部１４に沿って右上側に向けて徐々に回転移動するので、第２の筐体２の下部に位置する部分が上下方向にほとんど変動することなく、図１および図５に示すほぼ直線状の筐体移動軌跡Ｋ上を移動する。
【００７５】
また、このように第２の筐体２が回転移動する際には、図７および図１０に示すように、第１の可動軸１１の回転移動に伴って付勢部材８の可動アーム部１６が回転しながら移動する。すなわち、この可動アーム部１６は、その先端部１６ａが第２の筐体２の回転移動に伴ってベースプレート１３におけるばね部材１７の他端部１７ｂの固定位置Ｐに対してその下側に徐々に近づくように、アーム移動軌跡Ｑ上を移動する。このため、ばね部材１７は、図１０に示すように、その長さが徐々に短くなり、これに伴って第２の筐体２を横向き状態にさせる方向のばね力が徐々に弱くなる。
【００７６】
そして、第２の筐体２が回転移動して斜めに傾いたニュートラル状態に回転移動すると、図９に示すように、第１の可動軸１１が第１のガイド溝部１４のほぼ中間に位置する最も高い位置に回転移動すると共に、第２の可動軸１２が第２のガイド溝部１５の上端部１５ｂに向けて移動して最も接近する。このため、第２の筐体２は、第１の筐体１に対して図９に２点鎖線で示すように傾いた状態になり、第２の筐体２の重心位置Ｇが最も高くなる。
【００７７】
このときには、図９に示すように、第１の可動軸１１の回転移動に伴って付勢部材８の可動アーム部１６が回転移動して、可動アーム部１６の先端部１６ａが、アーム移動軌跡Ｑ上を移動して、ばね部材１７の他端部１７ｂの固定位置Ｐに対してその下側に最も近づく。このため、ばね部材１７は、図９に示すように、その長さが最も短くなり、これに伴って第２の筐体２を横向き状態にさせる方向のばね力が最も弱くなる。
【００７８】
これにより、ニュートラル状態のときには、ばね部材１７のばね力が、第２の筐体２のいずれの回転方向にも働かない（付勢しない）。この状態で、第２の筐体２が回転移動してニュートラル状態を通過する際には、可動アーム部１６の先端部１６ａがばね部材１７の他端部１７ｂの固定位置Ｐに対してその下側を左側から右側に通過するので、ばね部材１７のばね力の働き方向（付勢方向）が逆転し、ばね力が第２の筐体２を横向き状態にさせる方向から縦向き状態にさせる方向に切り替わる。
【００７９】
この後、第２の筐体２が横向き状態になる方向に更に回転移動する際には、図８および図９に示すように、第１の可動軸１１が第１のガイド溝部１４に沿って右下側に向けて徐々に回転しながら移動すると共に、第２の可動軸１２が第２のガイド溝部１５の上端部１５ｂから下方に向けて移動する。このため、第２の筐体２は、第１の筐体１に対して図８において反時計回りに回転して横向き状態に近づく。
【００８０】
このときには、図８および図９に示すように、第１の可動軸１１の回転移動に伴って付勢部材８の可動アーム部１６が回転移動し、この可動アーム部１６の先端部１６ａが第２の筐体２の回転移動に伴ってばね部材１７の他端部１７ｂの固定位置Ｐから右下側に向けて徐々に離れるように、アーム移動軌跡Ｑ上を移動する。このため、ばね部材１７は、図８に示すように、その長さが徐々に長くなり、これに伴って第２の筐体２を縦向き状態にさせる方向のばね力が徐々に強くなる。
【００８１】
また、このときには、第２の筐体２の重心位置Ｇが徐々に下がると共に、第２の筐体２の重量による回転モーメントが徐々に大きくなるので、第２の筐体２は重力により加速されて加速度が生じ、第２の筐体２が速い速度で回転移動することになる。しかし、ばね部材１７のばね力は、第２の筐体２を縦向き状態にさせる方向に徐々に強くなるため、このばね部材１７のばね力によって第２の筐体２の回転速度を制動することができる。これにより、第２の筐体２に加速度に伴う慣性力が生じても、その慣性力をばね部材１７のばね力で軽減して、第２の筐体２をゆっくり回転移動させる。
【００８２】
そして、第２の筐体２が横向き状態になると、図４に示すように、第１の可動軸１１が第１のガイド溝部１４の右端部１４ａに移動して停止すると共に、第２の可動軸１２が第２のガイド溝部１５の下端部１５ａに移動して停止する。このため、第２の筐体２は、第１の筐体１に対して図８において反時計回りにゆっくり回転して横向き状態になり、第１の筐体１に対する第２の筐体２の回転移動よる衝撃がばね部材１７のばね力によって吸収されて緩和される。
【００８３】
このように、この電子機器によれば、第１の筐体１に対して第２の筐体２を横向き状態と縦向き状態とに回転移動可能に連結する回転移動ガイド部材７と、第２の筐体２が横向き状態のときに第２の筐体２を縦向き状態にさせる方向に向けて付勢すると共に、第２の筐体２が縦向き状態のときに第２の筐体２をほぼ横向き状態にさせる方向に向けて付勢し、且つ第２の筐体２が回転移動してほぼ中間位置で斜めに傾斜した状態のときにニュートラル状態になり、第２の筐体２に対する付勢力が最小になる付勢部材８と、を備えているので、第１の筐体１に対して第２の筐体２を回転移動させる際の操作性が良く、且つ第１の筐体１に対する第２の筐体２による衝撃を緩和することができる。
【００８４】
すなわち、この電子機器によれば、第２の筐体２を第１の筐体１に対して回転移動させる際に、付勢部材８の付勢力によって第２の筐体２の動き出しをスムースに行うことができると共に、第２の筐体２が動き出すと、付勢部材８の付勢力が徐々に弱くなるので、円滑に且つスムースに第２筐体２を回転移動させることができる。また、第２の筐体２の回転移動が停止するときには、付勢部材８の付勢力によって第２の筐体２をゆっくり回転移動させて停止させることができる。
【００８５】
このため、この電子機器によれば、第１の筐体１に対して第２の筐体２を回転移動させる際に、その回転移動の操作性が良く、第２の筐体２を第１の筐体１に対して円滑に且つスムースに回転移動させることができると共に、第１の筐体１に対する第２の筐体２の回転移動に伴う衝撃を付勢部材８の付勢力によって吸収して緩和することができ、これにより第２の筐体２に組み込まれた入力表示部６などの電子部品が衝撃によって破損するのを防ぐことができる。
【００８６】
この場合、回転移動ガイド部材７は、第２の筐体２に設けられた可動プレート１０と、この可動プレート１０に設けられた第１、第２の各可動軸１１、１２と、第１の筐体１に設けられたベースプレート１３と、このベースプレート１３に設けられて第１、第２の可動軸１１、１２をそれぞれガイドする第１、第２のガイド溝部１４、１５とを備え、第１の可動軸１１が第１のガイド溝部１４に回転移動可能に取り付けられ、第２の可動軸１２が第２のガイド溝部１５に回転移動可能に取り付けられることにより、第２の筐体２を第１の筐体１に回転移動可能に連結する構成であるから、第２の筐体２を第１の筐体１に確実に且つ良好に取り付けることができると共に、第２の筐体２を第１の筐体１に対して円滑に且つ良好に回転移動させることができる。
【００８７】
また、この回転移動ガイド部材７における第１の可動軸１１をガイドする第１のガイド溝部１４は、第２の筐体２が第１の筐体１に対して回転移動する際に、第２の筐体２の下部に位置する部分をほぼ直線状の筐体移動軌跡Ｋに沿って移動させるように、ベースプレート１３の横方向に沿って上側に湾曲するほぼ円弧状に形成されていることにより、第２の筐体２の下部に位置する部分をほとんど上下方向に変動させることがなく、ほぼ直線状の筐体移動軌跡Ｋに沿って安定させた状態で、円滑に且つ良好に移動させることができる。
【００８８】
すなわち、第２の筐体２を横向き状態から縦向き状態に回転移動させる際、または第２の筐体２を縦向き状態から横向き状態に回転移動させる際には、第１のガイド溝部１４が第１の可動軸１１を第１のガイド溝部１４に沿って徐々に上側に移動させるので、第２の筐体２の両側下部の角部が下側に向けて回転移動しても、第２の筐体２が第１のガイド溝部１４に沿って徐々に上側に移動して、第２の筐体２の角部が下側に突出するのを抑えることができる。これにより、第２の筐体２の下部に位置する部分がほとんど上下方向に変動することがなく、第２の筐体２の下部に位置する部分を水平なほぼ直線状の筐体移動軌跡Ｋに沿って安定させた状態で移動させることができる。
【００８９】
さらに、この回転移動ガイド部材７における第２の可動軸１２をガイドする第２のガイド溝部１５は、第２の筐体２が第１の筐体１に対して回転移動する際に、第１の筐体１に対する第２の筐体２の横方向の動きを規制するように、ベースプレート１３の上下方向に沿って形成されているので、第２の筐体２を横向き状態から縦向き状態に回転移動させる際、または第２の筐体２を縦向き状態から横向き状態に回転移動させる際に、第２の可動軸１２を第２のガイド溝部１５によって上下方向にガイドすることにより、第２の筐体２の横方向の動きを規制して、第２の筐体２が横振れしないように、円滑に且つスムースに回転移動させることができる。
【００９０】
また、第２の筐体２に付勢力を付与する付勢部材８は、第２の筐体２に対して設けられた可動アーム部１６と、この可動アーム部１６に一端部１７ａが取り付けられ、他端部１７ｂが第１の筐体１のベースプレート１３に固定されたばね部材１７とを備えており、可動アーム部１６は、第２の筐体２が第１の筐体１に対して回転移動する際に、その回転移動に伴ってばね部材１７の一端部１７ａの位置を変位させることにより、ばね部材１７のばね力およびそのばね力の働き方向（付勢方向）を変化させるので、第２の筐体２の回転移動に応じてばね部材１７のばね力およびそのばね力の働き方向（付勢方向）を最適な状態にすることができる。
【００９１】
この場合、ばね部材１７は、その一端部１７ａが可動アーム部１６の先端部１６ａに取り付けられ、他端部１７ｂが第１筐体１のベースプレート１３の予め定められた固定位置Ｐに固定された引張コイルばねであり、可動アーム部１６は、第１のガイド溝部１４によってガイドされる第１の可動軸１１に設けられているので、第２の筐体２の回転移動に伴って第１の可動軸１１が第１のガイド溝部１４に沿って回転しながら移動することにより、可動アーム部１６をアーム移動軌跡Ｑに沿って回転移動させることができ、これによりばね部材１７のばね力およびそのばね力の働き方向（付勢方向）を最適に変化させることができる。
【００９２】
すなわち、可動アーム部１６は、第２の筐体２が横向き状態のときに、ばね部材１７のばね力を第２の筐体２が縦向き状態になる方向に働かせ、第２の筐体２が回転移動してほぼ中間位置で斜めに傾斜したニュートラル状態のときに、ばね部材１７のばね力を第２の筐体２のいずれの回転方向にも働かせず、第２の筐体２が縦向き状態のときに、ばね部材１７のばね力を第２の筐体２がほぼ横向き状態になる方向に働かせることができるので、第２の筐体２の回転移動に伴ってばね部材１７のばね力の働き方向（付勢方向）を常に変化させて最適な方向に切り替えることができ、これにより第２の筐体２を安定させた状態で円滑に且つ良好に回転移動させることができる。
【００９３】
また、この可動アーム部１６の先端部１６ａは、第２の筐体２が横向き状態のときに、第１のガイド溝部１４の右端部１４ａ付近に位置してばね部材１７の固定位置Ｐから最も離れ、第２の筐体２が回転移動してほぼ中間位置で斜めに傾斜したニュートラル状態のときに、第１のガイド溝部１４の中間付近に位置して固定位置Ｐに最も近づき、第２の筐体２が縦向き状態のときに、第１のガイド溝部１４の左端部１４ｂ付近に位置して固定位置Ｐからの距離が、最も離された距離と最も近づいた距離とのほぼ中間の距離となるようなアーム移動軌跡Ｑ上を移動する構成であるから、ばね部材１７のばね力およびその働き方向（付勢方向）を第２の筐体２の回転移動に応じて最適な状態にすることができる。
【００９４】
すなわち、この可動アーム部１６は、第２の筐体２が横向き状態のときに、可動アーム部１６の先端部１６ａが第１のガイド溝部１４の右端部１４ａ付近に位置してばね部材１７の固定位置Ｐから最も離れるので、ばね部材１７のばね力を第２の筐体２が縦向き状態になる方向に向けて最も強く働かせることができる。また、第２の筐体２が横向き状態から縦向き状態になる方向に向けて回転移動すると、その回転移動に伴って可動アーム部１６の先端部１６ａがばね部材１７の固定位置Ｐに対して徐々に近づくので、ばね部材１７のばね力を徐々に弱くすることができる。
【００９５】
また、この可動アーム部１６は、第２の筐体２が横向き状態からほぼ中間位置の斜めに傾いたニュートラル状態に到達したときに、可動アーム部１６の先端部１６ａがばね部材１７の固定位置Ｐに最も近づくので、ばね部材１７のばね力を最も弱くすることができ、これによりばね部材１７のばね力が第２の筐体２を回転させる方向に働かないようにすることができる。また、この可動アーム部１６は、第２の筐体２がニュートラル状態を通過すと、可動アーム部１６の先端部１６ａが第１のガイド溝部１４の左端部１４ｂ側に向けて移動することにより、ねじ部材１７のばね力の働き方向（付勢方向）を切り替えることができる。
【００９６】
このため、この可動アーム部１６は、第２の筐体２がニュートラル状態から縦向き状態になる方向に向けて回転移動すると、その回転移動に伴って可動アーム部１６の先端部１６ａがばね部材１７の固定位置Ｐから第１のガイド溝部１４の左端部１４ｂ側に向けて徐々に離れるので、ばね部材１７のばね力を第２の筐体２が縦向き状態になる方向に向けて働かせることができると共に、そのばね力を徐々に強くすることができる。
【００９７】
さらに、この可動アーム部１６は、第２の筐体２がほぼ中間位置で斜めに傾いたニュートラル状態から縦向き状態に到達したときに、可動アーム部１６の先端部１６ａとばね部材１７の固定位置Ｐとの距離が、最も離された距離と最も近づいた距離とのほぼ中間の距離になるので、ばね部材１７のばね力を最も強い場合と最も弱い場合とのほぼ中間の強さにすることができる。これにより、ばね部材１７のばね力を第２の筐体２に回転移動に応じて最適な状態にすることができる。
【００９８】
このように、このばね部材１７は、可動アーム部１６が第２の筐体２の回転移動に伴って移動することにより、第２の筐体２が横向き状態のときに、ばね部材１７のばね力が第２の筐体２を縦向き状態にさせる方向に向けて最も強く、第２の筐体２が回転移動してほぼ中間位置で斜めに傾斜したニュートラル状態のときに、ばね力が第２の筐体２のいずれの回転方向に対しても最も弱く、第２の筐体２が縦向き状態のときに、ばね力が第２の筐体２をほぼ横向き状態にさせる方向に向けて最も強い場合と最も弱い場合とのほぼ中間の強さになることにより、第２の筐体２の動き出しをスムースに行うことができると共に、第２の筐体２が回転移動しているときに、ばね部材１７のばね力を徐々に弱くして、スムースに第２の筐体を回転移動させることができる。
【００９９】
この場合、第２の筐体２が横向き状態から縦向き状態になる方向に動き出すときには、第２の筐体２の重量による回転モーメントが大きくなるが、ばね部材１７のばね力が第２の筐体２を縦向き状態にさせる方向に最も強く働くので、第２の筐体２の回転モーメントが大きくても、ばね部材１７のばね力によって第２の筐体２の重量による回転モーメントを相殺することができる。これにより、横向き状態の第２の筐体２をばね部材１７のばね力によって軽い力で動かすことができる。
【０１００】
また、第２の筐体２が縦向き状態から横向き状態になる方向に動き出すときには、ばね部材１７のばね力が第２の筐体２をほぼ横向き状態にさせる方向に向けて最も強い場合と最も弱い場合とのほぼ中間の強さであるから、このときにも、ばね部材１７のばね力と第２の筐体２の回転モーメントとによって縦向き状態の第２の筐体２を軽い力で動かすことができる。
【０１０１】
この場合、可動アーム部１６は、その先端部１６ａがばね部材１７の他端部１７ｂの固定位置Ｐとほぼ同じ高さに位置しているように構成されていれば、ばね部材１７がほぼ水平方向に向けて伸びることになり、これによりばね部材１７のばね力が第２の筐体２を回転させる方向にほとんど働かないようにすることができる。このため、ばね部材１７のばね力が中間程度の強さであっても、第２の筐体２がばね部材１７のばね力によって勝手に回転することがなく、第２の筐体２を縦向き状態に安定させて保持することができる。これにより、縦向き状態の第２の筐体２に誤って触れても、簡単に第２の筐体２が回転しないようにすることができる。
【０１０２】
また、このばね部材１７は、第２の筐体２が横向き状態から縦向き状態に回転移動して停止する際、または縦向き状態から横向き状態に回転移動して停止する際に、第２の筐体２の回転移動を停止させるようにばね力が働くので、第２の筐体２をゆっくり回転移動させて静かに停止させることができる。この場合、第２の筐体２が縦向き状態から横向き状態に回転移動して停止する際には、ばね部材１７のばね力が徐々に強くなるので、第２の筐体２をゆっくり回転移動させて停止させることができる。
【０１０３】
このときには、第２の筐体２が縦向き状態から横向き状態に回転移動するため、第２の筐体２はその回転速度が重力によって加速されて、第２の筐体２に加速度が生じ、この加速度によって第２の筐体２が速い速度で回転移動するが、第２の筐体２が横向き状態に近づくに従って、ばね部材１７のばね力が第２の筐体２を縦向き状態にさせる方向に徐々に強くなり、第２の筐体２が横向き状態に到達するときに、そのばね力が最も強くなるので、第２の筐体２が重力によって加速されて、第２の筐体２に加速度が生じても、ばね部材１７のばね力によって第２の筐体２をゆっくり回転移動させることができると共に、第２の筐体２を横向き状態に静かに停止させることができる。
【０１０４】
なお、上記実施形態では、第２の筐体２のケース部５内に入力表示部６を組み込んだ場合について述べたが、必ずしも入力表示部６を組み込む必要はなく、透明なタッチパネルを有していない表示パネルからなる表示部をケース部５内に組み込んだ構成でも良い。
【０１０５】
また、上記実施形態では、第１の筐体１と第２の筐体２とを備えた写真立てタイプのディスプレイ装置に適用した場合について述べたが、必ずしも写真立てタイプのディスプレイ装置である必要はなく、例えばパーソナルコンピュータや、携帯電話機など、第１の筐体に対して第２の筐体が横向き状態と縦向き状態とに回転移動する電子機器に広く適用することができる。
【符号の説明】
【０１０６】
１  第１の筐体
２  第２の筐体
６  入力表示部
７  回転移動ガイド部材
８  付勢部材
１０  可動プレート
１１  第１の可動軸
１２  第２の可動軸
１３  ベースプレート
１４  第１のガイド溝部
１５  第２のガイド溝部
１６  可動アーム部
１６ａ  可動アーム部の先端部
１７  ばね部材
１７ａ  ばね部材の一端部
１７ｂ  ばね部材の他端部
Ｐ  固定位置
Ｋ  筐体移動軌跡
Ｑ  アーム移動軌跡
Ｇ  重心位置
【図１】
2012039241.tif 000003
【図２】
2012039241.tif 000004
【図３】
2012039241.tif 000005
【図４】
2012039241.tif 000006
【図５】
2012039241.tif 000007
【図６】
2012039241.tif 000008
【図７】
2012039241.tif 000009
【図８】
2012039241.tif 000010
【図９】
2012039241.tif 000011
【図１０】
2012039241.tif 000012